(57)【特許請求の範囲】
【請求項１】
カメラボディに着脱可能な表示用アクセサリであって、
前記カメラボディが出力する映像信号に基づき映像を表示する表示部と、
前記表示用アクセサリへの電源が投入されると、初期通信処理を実行する初期通信部と、を備え、
前記初期通信部は、前記表示部が映像を加工して表示可能か否かを示すデータを前記カメラボディに送信する処理を実行する表示用アクセサリ。
【請求項２】
請求項１に記載の表示用アクセサリにおいて、
ユーザによる所定動作を検出する検出部と、
前記検出部により前記所定動作が検出されたことに応じて、前記カメラボディに、映像信号の出力指示を表す指示信号を出力する信号出力部と、を備え、
前記検出部は、前記表示用アクセサリへの電源投入後、少なくとも前記初期通信部による前記初期通信処理の実行が完了した時点で前記所定動作を検出可能な状態になり、
前記信号出力部は、前記初期通信部による前記初期通信処理の実行が完了した後に、前記検出部により前記所定動作が検出されていた場合には、前記カメラボディに前記指示信号を出力する表示用アクセサリ。
【請求項３】
請求項１または請求項２に記載の表示用アクセサリにおいて、
前記初期通信部が実行する前記初期通信処理には、前記表示用アクセサリからのデータの送信に応じて前記カメラボディから送信される設定データを受信する設定データ受信処理が含まれる表示用アクセサリ。
【請求項４】
カメラボディに着脱可能な表示用アクセサリであって、
前記カメラボディが出力する映像信号に基づき映像を表示する表示部と、
前記表示用アクセサリへの電源が投入されると、初期通信処理を実行する初期通信部と、を備え、
前記初期通信部は、前記表示部が受け付け可能な前記映像信号のフォーマットを表す映像フォーマットデータを前記カメラボディに送信する処理を実行し、
前記初期通信部が実行する前記初期通信処理には、前記表示用アクセサリからのデータの送信に応じて前記カメラボディから送信される設定データを受信する設定データ受信処理が含まれ、
前記表示用アクセサリからのデータには、前記表示部が受け付ける前記映像信号の特性を表す映像特性データが含まれる表示用アクセサリ。
【請求項５】
請求項４に記載の表示用アクセサリにおいて、
前記表示用アクセサリからのデータには、前記表示部に設定可能な明るさの設定範囲を表す明るさ範囲データが含まれる表示用アクセサリ。
【発明の詳細な説明】
【技術分野】
【０００１】
本発明は、表示用アクセサリに関する。
【背景技術】
【０００２】
従来、ビューファインダを装着可能なデジタルカメラが知られている。例えば特許文献１には、装着されたビューファインダの種別を検出する手段を備え、交換レンズの種別に適合するか否かを判定してユーザに通知するデジタルカメラが記載されている。
【先行技術文献】
【特許文献】
【０００３】
【特許文献１】特開２００７−３２２９５４号公報
【発明の概要】
【発明が解決しようとする課題】
【０００４】
従来技術には、ビューファインダ側が映像を表示するために必要とする設定データを、カメラボディ側からビューファインダ側に送信し、種々のカメラボディに適合できるようには構成されていなかった。
【課題を解決するための手段】
【０００５】
本発明の第１の態様による表示用アクセサリは、カメラボディに着脱可能な表示用アクセサリであって、前記カメラボディが出力する映像信号に基づき映像を表示する表示部と、前記表示用アクセサリへの電源が投入されると、初期通信処理を実行する初期通信部と、を備え、前記初期通信部は、前記表示部が映像を加工して表示可能か否かを示すデータを前記カメラボディに送信する処理を実行する。
本発明の第２の態様による表示用アクセサリは、カメラボディに着脱可能な表示用アクセサリであって、前記カメラボディが出力する映像信号に基づき映像を表示する表示部と、前記表示用アクセサリへの電源が投入されると、初期通信処理を実行する初期通信部と、を備え、前記初期通信部は、前記表示部が受け付け可能な前記映像信号のフォーマットを表す映像フォーマットデータを前記カメラボディに送信する処理を実行し、前記初期通信部が実行する前記初期通信処理には、前記表示用アクセサリからのデータの送信に応じて前記カメラボディから送信される設定データを受信する設定データ受信処理が含まれ、前記表示用アクセサリからのデータには、前記表示部が受け付ける前記映像信号の特性を表す映像特性データが含まれる。
【発明の効果】
【０００６】
本発明によれば、映像を表示するために必要とする設定データをカメラボディ側から送信可能なビューファインダを提供することができる。
【図面の簡単な説明】
【０００７】
【図１】本発明を適用したレンズ交換式のカメラシステムを示した斜視図である。
【図２】本発明を適用したレンズ交換式のカメラシステムを示した斜視図である。
【図３】カメラボディ１００とアクセサリ３００の構成を模式的に示すブロック図である。
【図４】カメラボディ１００とアクセサリ３００とがそれぞれ実行する初期化処理を含むフローチャートである。
【図５】機能データおよび設定データの構成を示す模式図である。
【発明を実施するための形態】
【０００８】
（第１の実施の形態）
以下、本発明の第１の実施の形態に係るレンズ交換式のデジタルカメラについて説明する。なお、以下の説明では本発明に特に関係する箇所について述べ、それ以外の箇所については図示と説明を省略する。
【０００９】
図１および図２は、本発明を適用したレンズ交換式のカメラシステムを示した斜視図である。カメラシステム１は、カメラボディ１００と、カメラボディ１００に着脱可能な交換レンズ２００と、カメラボディ１００に着脱可能なアクセサリ３００とから構成される。カメラボディ１００、交換レンズ２００、およびアクセサリ３００は、それぞれ複数の種類が存在する。ユーザは、カメラシステム１に属するカメラボディ１００と、交換レンズ２００と、アクセサリ３００とを、それぞれ任意の種類のものを組み合わせて利用することができる。
【００１０】
カメラボディ１００の筐体前面１０には、交換レンズ２００が着脱可能に取り付けられるボディ側マウント部１０１が設けられている。交換レンズ２００には、ボディ側マウント部１０１に対応する、カメラボディ１００が着脱可能に取り付けられるレンズ側マウント部２０１が設けられている。
【００１１】
カメラボディ１００内のボディ側マウント部１０１後方には、例えばＣＭＯＳやＣＣＤなどの撮像素子１０２が設けられている。カメラボディ１００の筐体上面２０には、レリーズスイッチ１０３が設けられている。カメラボディ１００の筐体後面３０には、種々のボタン１０４が設けられている。ユーザはレリーズスイッチ１０３やボタン１０４等の入力装置を用いて、カメラボディ１００に撮影指示や撮影条件の設定指示等を入力する。
【００１２】
カメラボディ１００の筐体後面３０には、背面モニタ１０５が設けられている。背面モニタ１０５は、例えば液晶ディスプレイ等を用いた表示装置である。背面モニタ１０５は、例えば被写体像のスルー画表示や、撮影設定のメニュー表示等を行う。
【００１３】
カメラボディ１００の筐体上面２０には、アクセサリ３００が着脱可能に取り付けられるシュー座１０６が設けられている。アクセサリ３００には、シュー座１０６に対応する、カメラボディ１００が着脱可能に取り付けられるコネクタ３０１が設けられている。
【００１４】
アクセサリ３００は、いわゆる電子ビューファインダー（ＥＶＦ）機能を提供する。アクセサリ３００の背面４０には、ファインダー窓３０２が設けられている。アクセサリ３００内部には、液晶パネル３０３が設けられている。ユーザは、ファインダー窓３０２を覗くことにより、液晶パネル３０３に表示された映像を視認することができる。
【００１５】
ファインダー窓３０２の近傍には、近接センサ３１６が設けられている。近接センサ３１６は、ファインダー窓３０２にユーザの顔が近接していること、すなわち、ユーザがファインダー窓３０２を覗いていることを検知する。近接センサ３１６の検知結果は、液晶パネル３０３と背面モニタ１０５のどちらにスルー画表示等を行うかを決定するために用いられる。
【００１６】
カメラボディ１００にアクセサリ３００を装着すると、通常は背面モニタ１０５に表示される画面を、アクセサリ３００の液晶パネル３０３に表示することができる。例えば、いわゆるスルー画やメニュー画面は、通常は背面モニタ１０５に表示されるが、アクセサリ３００の液晶パネル３０３に表示先を切り替えることができる。背面モニタ１０５と液晶パネル３０３は排他的に利用される。
【００１７】
例えば、ユーザがファインダー窓３０２に近接したことを近接センサ３１６が検知すると、背面モニタ１０５は消灯され、液晶パネル３０３にライブビュー表示が開始される。逆に、ユーザがファインダー窓３０２から離れたことを近接センサ３１６が検知すると、液晶パネル３０３は消灯され、背面モニタ１０５へのライブビュー表示が開始される。なお、アクセサリ３００に設けられた不図示の操作部材（スイッチ等）を操作することで、近接センサ３１６の検知結果を無視して、いずれか一方に表示を固定することも可能である。
【００１８】
図３は、カメラボディ１００とアクセサリ３００の構成を模式的に示すブロック図である。カメラボディ１００のシュー座１０６には、２１個の電気接点ＰＢ１〜ＰＢ２１が設けられている。アクセサリ３００のコネクタ３０１には、２１個の電気接点ＰＡ１〜ＰＡ２１が設けられている。アクセサリ３００をカメラボディ１００に装着すると、シュー座１０６に設けられた２１個の電気接点ＰＢ１〜ＰＢ２１と、コネクタ３０１に設けられた２１個の電気接点ＰＡ１〜ＰＡ２１とが電気的に接続される。これらの接点は、カメラボディ１００からアクセサリ３００への電力供給や、カメラボディ１００とアクセサリ３００との間の信号の授受に用いられる。
【００１９】
カメラボディ１００は、ボディＣＰＵ１１０と、バッテリー１１１と、ＤＣ／ＤＣコンバータ１１２と、トランスミッタＩＣ１１３とを備える。ボディＣＰＵ１１０は、不図示のＲＯＭに予め格納された制御プログラムを読み込んで実行することにより、カメラボディ１００全体の制御を行う。バッテリー１１１は、カメラボディ１００やアクセサリ３００の電力源である二次電池である。バッテリー１１１は、電気接点ＰＢ１１、ＰＢ１２、ＰＡ１１、ＰＡ１２を介して、アクセサリ３００に電圧ＶＢＡＴを供給する。電圧ＶＢＡＴは、例えば５〜１２ボルト程度の電圧である。ＤＣ／ＤＣコンバータ１１２は、バッテリー１１１から供給される電圧ＶＢＡＴを変換する。ＤＣ／ＤＣコンバータ１１２は、電気接点ＰＢ１４を介して、アクセサリ３００に電圧Ｖｃｃを供給する。電圧Ｖｃｃは、約３．３ボルトの電圧である。トランスミッタＩＣ１１３は、映像信号を送信するＩＣである。トランスミッタＩＣ１１３は、電気接点ＰＢ１９、ＰＢ２０、ＰＡ１９、ＰＡ２０を介して、アクセサリ３００に映像信号を送信する。
【００２０】
アクセサリ３００は、アクセサリＣＰＵ３１０と、レシーバＩＣ３１３と、ドライバＩＣ３１４と、電源生成回路３１５とを備える。アクセサリＣＰＵ３１０は、不図示のＲＯＭに予め格納された制御プログラムを読み込んで実行することにより、アクセサリ３００全体の制御を行う。レシーバＩＣ３１３は、映像信号を受信するＩＣである。レシーバＩＣ３１３は、電気接点ＰＢ１９、ＰＢ２０、ＰＡ１９、ＰＡ２０を介して、カメラボディ１００から映像信号を受信する。レシーバＩＣ３１３は、カメラボディ１００が有するトランスミッタＩＣ１１３と対になっている。ドライバＩＣ３１４は、液晶パネル３０３の駆動制御を行う。
【００２１】
電源生成回路３１５は、電気接点ＰＢ１１、ＰＢ１２、ＰＡ１１、ＰＡ１２を介してカメラボディ１００から入力された電圧ＶＢＡＴを変換し、種々の電圧を生成する。これらの電圧は、アクセサリ３００が有するアクセサリＣＰＵ３１０と電源生成回路３１５以外の各部に供給される。
【００２２】
カメラボディ１００が電源オン状態のとき、撮像素子１０２は所定時間（例えば６０分の１秒）ごとに繰り返し撮像を行い、撮像信号を出力する。撮像素子１０２から出力された撮像信号は、ボディＣＰＵ１１０に入力される。ボディＣＰＵ１１０は、入力された撮像信号に種々の画像処理を施した映像信号を出力する。ボディＣＰＵ１１０が出力した映像信号は、トランスミッタＩＣ１１３および背面モニタ１０５の一方に入力される。映像信号が背面モニタ１０５に入力された場合、背面モニタ１０５は、入力された映像信号に基づく映像（スルー画）を表示する。
【００２３】
他方、映像信号がトランスミッタＩＣ１１３に入力された場合、トランスミッタＩＣ１１３は、入力された映像信号を、いわゆるＬＶＤＳ（Low Voltage Differential Signaling）に基づく一対の映像信号にシリアライズする。トランスミッタＩＣ１１３は、シリアライズした信号を、電気接点ＰＢ１９、ＰＢ２０、ＰＡ１９、ＰＡ２０を介してアクセサリ３００に送信する。
【００２４】
アクセサリ３００内のレシーバＩＣ３１３は、受信したＬＶＤＳに基づく一対の映像信号を、元の映像信号にデシリアライズする。レシーバＩＣ３１３は、デシリアライズした映像信号を、ドライバＩＣ３１４に出力する。ドライバＩＣ３１４は、入力された映像信号に基づく映像（スルー画）を、液晶パネル３０３に表示する。
【００２５】
アクセサリＣＰＵ３１０は、レシーバＩＣ３１３およびドライバＩＣ３１４と接続されている。アクセサリＣＰＵ３１０は、レシーバＩＣ３１３やドライバＩＣ３１４に所定の制御信号を出力することにより、レシーバＩＣ３１３やドライバＩＣ３１４の動作を開始させたり、逆に動作を停止させたりする。
【００２６】
ボディＣＰＵ１１０とアクセサリＣＰＵ３１０とは、信号線CLK、DATA、DISP_CHGにより接続されている。信号線CLKおよび信号線DATAは、ボディＣＰＵ１１０とアクセサリＣＰＵ３１０との間で半二重のシリアルデータ通信を行うための信号線である。このようなシリアルデータ通信は周知であるので、説明を省略する。信号線DISP_CHGは、アクセサリＣＰＵ３１０からボディＣＰＵ１１０へ、背面モニタ１０５と液晶パネル３０３との間の表示切り替えを要請するための信号線である。アクセサリＣＰＵ３１０は、近接センサ３１６の検知状態等に基づき、背面モニタ１０５と液晶パネル３０３のどちらにスルー画等を表示するかを決定する。アクセサリＣＰＵ３１０は、スルー画等の表示先を切り替えるべきであると判断すると、信号線DISP_CHGに制御信号を出力する。ボディＣＰＵ１１０は、信号線DISP_CHGを介して制御信号が入力されると、スルー画やメニュー画面等の表示先を切り替える。
【００２７】
（初期化処理の説明）
アクセサリ３００に電源投入が為されると、アクセサリＣＰＵ３１０は所定の初期化処理を実行する。ここでアクセサリ３００への電源投入とは、例えばカメラボディ１００が電源オフ状態のときにカメラボディ１００にアクセサリ３００を装着し、カメラボディ１００に電源投入が為されることを指す。また、カメラボディ１００が電源オン状態のときにカメラボディ１００にアクセサリ３００を装着した場合についても、アクセサリ３００に電源投入が為されたといえる。
【００２８】
図４は、カメラボディ１００とアクセサリ３００とがそれぞれ実行する初期化処理を含むフローチャートである。まず、図４の紙面左側に示したアクセサリ３００側の初期化処理について説明する。
【００２９】
ステップＳ１００において、アクセサリＣＰＵ３１０は、機能データを作成する。機能データは、液晶パネル３０３の表示機能に関するデータである。機能データの詳細については後述する。ステップＳ１１０でアクセサリＣＰＵ３１０は、ステップＳ１００で作成した機能データをカメラボディ１００に送信する。アクセサリＣＰＵ３１０は、信号線CLK、DATAを介したシリアルデータ通信によって、機能データをカメラボディ１００に送信する。
【００３０】
ステップＳ１２０でアクセサリＣＰＵ３１０は、機能データを送信したことに応じてカメラボディ１００から送信される設定データを受信する。設定データは、液晶パネル３０３に映像を表示するために必要な種々の設定事項に関するデータである。設定データの詳細については後述する。アクセサリＣＰＵ３１０は、信号線CLK、DATAを介したシリアルデータ通信によって、設定データをカメラボディ１００から受信する。
【００３１】
アクセサリ３００では、ステップＳ１００〜Ｓ１２０の処理と並行して、ステップＳ１３０〜Ｓ１４０の処理が実行される。ステップＳ１３０で電源生成回路３１５は、バッテリー１１１から供給される電圧ＶＢＡＴの、近接センサ３１６等が利用する電圧への変換を開始する。ステップＳ１４０で近接センサ３１６等が、電源生成回路３１５により変換された電圧による動作を開始する（起動する）。
【００３２】
以上のように、アクセサリＣＰＵ３１０による機能データや設定データの授受と、近接センサ３１６等の起動とは並行して実行される。従って、ステップＳ１２０で設定データを受信し終わったとき、近接センサ３１６はユーザの近接を検出可能な状態になっている。ステップＳ１２０で設定データを受信し、近接センサ３１６はユーザの近接を検出可能な状態になっていることでアクセサリの初期化処理を終了する。
【００３３】
ステップＳ１５０でアクセサリＣＰＵ３１０は、近接センサ３１６によりユーザの近接が検出されているか否かを判定する。ユーザの近接が検出されていた場合、アクセサリＣＰＵ３１０は、処理をステップＳ１６０に進める。ステップＳ１６０においてアクセサリＣＰＵ３１０は、信号線DISP_CHGを介してカメラボディ１００に映像信号の出力指示を表す指示信号を出力する。カメラボディ１００はこの指示信号に応じて、アクセサリ３００への映像信号の出力を開始する。ステップＳ１７０でドライバＩＣ３１４は、液晶パネル３０３を点灯させ、カメラボディ１００から出力される映像信号に基づく映像の表示を開始させる。このとき、カメラボディ１００の背面モニタ１０５は、一切点灯しない。つまり、スルー画等の映像は、電源投入後、最初から液晶パネル３０３にのみ表示される。その後、アクセサリＣＰＵ３１０は、処理をステップＳ１９０に進める。
【００３４】
他方、ステップＳ１５０において、ユーザの近接が検出されていなかった場合、アクセサリＣＰＵ３１０は処理をステップＳ１８０に進める。ステップＳ１８０においてアクセサリＣＰＵ３１０は、アクセサリ３００をスタンバイ状態に遷移させる。スタンバイ状態は、通常よりも消費電力が小さい動作状態である。スタンバイ状態のとき、アクセサリ３００が有するアクセサリＣＰＵ３１０、電源生成回路３１５、および近接センサ３１６を除く各部は、まったく動作しない状態になるか、あるいは最低限の回路のみを動作させる状態になる。例えば、液晶パネル３０３は点灯せず、画面に何も表示されない状態である。その後、アクセサリＣＰＵ３１０は、処理をステップＳ１９０に進める。
【００３５】
ステップＳ１９０において、アクセサリＣＰＵ３１０は、アクセサリ３００の電源がオフされたか否かを判定する。アクセサリ３００の電源がオフされた場合は、アクセサリ側のフローチャートを終了し、オフされない場合は、ステップＳ１５０以降の処理を繰り返す。
【００３６】
次に、図４の紙面右側に示したカメラボディ１００側の初期化処理について説明する。ステップＳ２００において、ボディＣＰＵ１１０は、アクセサリ３００から機能データを受信する。ステップＳ２１０でボディＣＰＵ１１０は、ステップＳ２００で受信した機能データに基づいて設定データを作成する。そして、ステップＳ２２０でボディＣＰＵ１１０は、ステップＳ２１０で作成した設定データをアクセサリ３００に送信する。ステップＳ２３０でボディＣＰＵ１１０は、カメラボディ１００内の周辺回路の初期化処理を実行する。ボディＣＰＵ１１０は、この初期化処理の実行に所定の時間を必要とする。ステップＳ２３０でカメラボディ１００内の周辺回路の初期化処理が終了した状態になっていることでカメラボディ１００の初期化処理を終了する。
【００３７】
その後ステップＳ２４０でボディＣＰＵ１１０は、信号線DISP_CHGを介してアクセサリ３００から指示信号が入力されているか否かを判定する。指示信号が入力されていた場合、ボディＣＰＵ１１０は処理をステップＳ２６０に進める。ステップＳ２６０でボディＣＰＵ１１０は、アクセサリ３００への映像信号の出力を開始し、処理をステップＳ２７０に進める。他方、指示信号が入力されていなかった場合、ボディＣＰＵ１１０は処理をステップＳ２５０に進める。ステップＳ２５０でボディＣＰＵ１１０は、背面モニタ１０５を点灯し、背面モニタ１０５へスルー画等の映像を表示開始し、処理をステップＳ２７０に進める。
【００３８】
ステップＳ２７０において、ボディＣＰＵ１１０は、カメラボディ１００の電源がオフされたか否かを判定する。カメラボディ１００の電源がオフされた場合は、カメラボディ側のフローチャートを終了し、オフされない場合は、ステップＳ２４０以降の処理を繰り返す。
【００３９】
（機能データおよび設定データの説明）
図５（ａ）は、機能データの構成を示す模式図である。機能データ４００には、映像特性データ４１０と、映像フォーマットデータ４２０と、加工可否データ４３０と、明るさ範囲データ４４０とが含まれている。
【００４０】
映像特性データ４１０は、ドライバＩＣ３１４や液晶パネル３０３が受け付ける映像信号の特性を表すデータである。映像信号の特性とは、例えば表示画面のアスペクト比、信号波形の特性（遅延、振幅、周波数等）等を指す。本実施形態では、これらの特性の組み合わせが予め複数通り用意されており、映像特性データ４１０はそれら複数通りの組み合わせのうち、どの組み合わせを受け付けるかを表している。例えば複数通りの組み合わせを映像特性データ４１０の各ビットに割り当て、当該組み合わせに対応している場合には当該ビットが１に、対応していない場合には当該ビットが０になる。
【００４１】
映像フォーマットデータ４２０は、ドライバＩＣ３１４や液晶パネル３０３が受付可能な映像信号のフォーマットを表すデータである。映像信号のフォーマットとは、例えば「ＹＣｂＣｒ４２２」や「ＲＧＢ４４４」など、映像信号の色空間や色深度、量子化ビット数等を特定するものである。例えば予め用意されている複数の映像フォーマットを映像フォーマットデータ４２０の各ビットに割り当て、当該映像フォーマットに対応している場合には当該ビットが１に、対応していない場合には当該ビットが０になる。
【００４２】
加工可否データ４３０は、ドライバＩＣ３１４や液晶パネル３０３が映像を加工して表示可能か否かを表すデータである。映像の加工とは、例えば赤成分と青成分の入れ替えや、上下反転、左右反転、上下左右反転などである。例えば予め用意されている複数の種類の加工処理を加工可否データ４３０の各ビットに割り当て、当該画像加工に対応している場合には当該ビットが１に、対応していない場合には当該ビットが０になる。
【００４３】
明るさ範囲データ４４０は、ドライバＩＣ３１４や液晶パネル３０３に設定可能な明るさの設定範囲を表すデータである。本実施形態では、明るさ範囲データ４４０により表される明るさとは、液晶パネル３０３のバックライトの明るさである。例えば液晶パネル３０３のバックライトに、−１０から＋１０までの２１段階の明るさを設定可能である場合、明るさ範囲データ４４０は−１０という値と＋１０という値とを表すデータとなる。
【００４４】
アクセサリＣＰＵ３１０は、機能データ４００を、映像特性データ４１０、映像フォーマットデータ４２０、加工可否データ４３０、明るさ範囲データ４４０の順でボディＣＰＵ１１０に送信する。このようにしたのは、カメラボディ１００における周辺回路の初期化において、映像特性データ４１０や映像フォーマットデータ４２０の方が、加工可否データ４３０や明るさ範囲データ４４０よりもより重要であり、且つ早期に必要になるデータであることに因る。
【００４５】
映像特性データ４１０や映像フォーマットデータ４２０は、例えば映像信号を送信するためのバッファメモリのサイズを決定するためや、映像信号を生成する回路を決定するために必要になる。他方、加工可否データ４３０や明るさ範囲データ４４０は、設定データを作成するまで必要とされない。アクセサリＣＰＵ３１０を、映像特性データ４１０や映像フォーマットデータ４２０を加工可否データ４３０や明るさ範囲データ４４０よりも先に送信するように構成することで、ボディＣＰＵ１１０は、早期に必要になるデータを真っ先に受信することができるようになる。これにより、ボディＣＰＵ１１０は、機能データ４００全体の受信が完了するよりも先に、映像特性データ４１０や映像フォーマットデータ４２０を受信完了した段階で、周辺回路の初期化処理に着手できるようになる。つまり、図４では説明の便宜上、設定データの送信よりも後に図示したステップＳ２３０の周辺回路の初期化処理を、ステップＳ２００の機能データ受信の途中から、ステップＳ２００〜Ｓ２２０の処理と並行して実行開始することができるようになる。
【００４６】
図５（ｂ）は、設定データの構成を示す模式図である。設定データ５００には、特性設定データ５１０と、フォーマット設定データ５２０と、加工設定データ５３０と、明るさ設定データ５４０とが含まれている。これらの各データは、それぞれ機能データ４００に含まれる映像特性データ４１０と、映像フォーマットデータ４２０と、加工可否データ４３０と、明るさ範囲データ４４０とに対応している。
【００４７】
すなわち、特性設定データ５１０は映像特性データ４１０により表される１つ以上の映像特性の組み合わせのうち１つを設定するデータであり、フォーマット設定データ５２０は映像フォーマットデータ４２０により表される１つ以上の映像フォーマットのうち１つを設定するデータであり、加工設定データ５３０は加工可否データ４３０により表される１つ以上の加工処理の各々について当該加工処理を行うか否かを設定するデータであり、明るさ設定データ５４０は明るさ範囲データ４４０により表される明るさの設定範囲に含まれる１つの明るさを設定するデータである。
【００４８】
ボディＣＰＵ１１０は、受信した機能データ４００の内容に基づいて上記の設定データ５００を作成し、アクセサリＣＰＵ３１０に送信する。アクセサリＣＰＵ３１０は、受信した設定データ５００に基づいてドライバＩＣ３１４や液晶パネル３０３の設定を行う。
【００４９】
上述した第１の実施の形態によるカメラシステムによれば、次の作用効果が得られる。
（１）液晶パネル３０３（表示手段）には、カメラボディ１００が出力する映像信号に基づく映像が表示される。アクセサリＣＰＵ３１０（初期通信手段）は、アクセサリ３００への電源投入に応じて、図４のステップＳ１００〜Ｓ１２０に示した初期通信処理を実行する。アクセサリＣＰＵ３１０が実行する初期通信処理には、液晶パネル３０３に映像を表示するために必要な設定データ５００をカメラボディ１００から受信するステップＳ１２０の処理（設定データ受信処理）が含まれる。液晶パネル３０３には、受信した設定データ５００に基づき映像が表示される。このようにしたので、映像を表示するために必要とする設定データをカメラボディ側から送信可能なビューファインダを提供することができる。
【００５０】
（２）近接センサ３１６（検出手段）は、ユーザによる近接動作を検出する。アクセサリＣＰＵ３１０（信号出力手段）は、近接センサ３１６により近接動作が検出されたことに応じて、カメラボディ１００に、映像信号の出力指示を表す指示信号を出力する。近接センサ３１６は、アクセサリ３００への電源投入後、アクセサリＣＰＵ３１０による初期通信処理の実行が完了した時点で近接動作を検出可能な状態になる。アクセサリＣＰＵ３１０は、初期通信処理の実行が完了した後に、近接センサ３１６により近接動作が検出されていた場合には、カメラボディ１００に指示信号を出力する。このようにしたので、電源投入後、速やかにスルー画等の映像を液晶パネル３０３に表示させることができる。また、カメラボディ１００の背面モニタ１０５に一瞬だけ映像が表示されてしまうこともない。
【００５１】
（３）アクセサリＣＰＵ３１０が実行する初期通信処理には、液晶パネル３０３の表示機能に関する機能データ４００をカメラボディ１００に送信するステップＳ１１０の処理（機能データ送信処理）と、機能データ４００の送信に応じてカメラボディ１００から送信される設定データ５００を受信するステップＳ１２０の処理（設定データ受信処理）とが含まれる。このようにしたので、カメラボディ１００やアクセサリ３００の種類毎に最適な設定を選択することができる。
【００５２】
（４）機能データ４００には、液晶パネル３０３が受け付ける映像信号の特性を表す映像特性データ４１０と、液晶パネル３０３が受け付け可能な映像信号のフォーマットを表す映像フォーマットデータ４２０とが含まれる。このようにしたので、映像信号の特性やフォーマット等が刷新された場合であっても、必要な互換性を確保することができる。
【００５３】
（５）機能データ４００には、映像特性データ４１０と、映像フォーマットデータ４２０と、液晶パネル３０３が映像を加工して表示可能か否かを表す加工可否データ４３０と、液晶パネル３０３に設定可能な明るさの設定範囲を表す明るさ範囲データ４４０とが含まれる。このようにしたので、種々の表示方法に対応したアクセサリ３００を提供することができる。
【００５４】
（６）アクセサリＣＰＵ３１０は、機能データ４００をカメラボディ１００に送信する際、映像特性データ４１０および映像フォーマットデータ４２０を加工可否データ４３０および明るさ範囲データ４４０よりも先に送信する。このようにしたので、ボディＣＰＵ１１０により実行される初期化処理を、より早期に完了させることが可能になる。
【００５５】
（７）設定データ５００には、液晶パネル３０３が映像を表示する明るさを表す明るさ設定データ５４０が含まれる。明るさ設定データ５４０により表される明るさは、明るさ範囲データ４４０により表される明るさの設定範囲に含まれる。このようにしたので、アクセサリ３００が対応する明るさの設定範囲を逸脱した明るさ設定が為され、アクセサリ３００が誤動作することがない。また、ユーザが所望する明るさ設定と実際の明るさとが乖離することがない。
【００５６】
次のような変形も本発明の範囲内であり、変形例の一つ、もしくは複数を上述の実施形態と組み合わせることも可能である。
【００５７】
（変形例１）
本発明は、図１に示したものとは異なるカメラシステムに適用することもできる。例えば、クイックリターンミラーを備えた、いわゆる一眼レフレックス方式のカメラシステムにも本発明を適用することが可能である。また、レンズ交換式のカメラシステムだけでなく、シュー座を備えたレンズ一体式のカメラシステムにも本発明を適用することが可能である。
【００５８】
（変形例２）
上述した実施の形態では、いわゆる外付け型の電子ビューファインダーユニットに本発明を適用した例を説明したが、本発明はこのような実施の形態に限定されない。例えば、より大型の表示画面を備えた、接眼利用を想定しない表示用アクセサリに本発明を適用することもできる。
【００５９】
（変形例３）
上述した実施の形態における近接センサ３１６を、ユーザの近接動作以外の動作を検出するセンサとしてもよい。例えば、ユーザによるボタン押下操作を検出するプッシュボタンとしてもよい。
【００６０】
（変形例４）
上述した実施の形態では、アクセサリ３００内部には液晶パネル３０３が設けられているものとして説明したが、この液晶パネルの代わりに有機ＥＬパネルを用いるようにしても良い。
【００６１】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００６２】
１…カメラシステム、１００…カメラボディ、１０２…撮像素子、１０５…背面モニタ、１１０…ボディＣＰＵ、１１３…トランスミッタＩＣ、２００…交換レンズ、３００…アクセサリ、３０３…液晶パネル、３１０…アクセサリＣＰＵ、３１３…レシーバＩＣ、３１４…ドライバＩＣ
【図１】
0006471773.tif 000002
【図２】
0006471773.tif 000003
【図３】
0006471773.tif 000004
【図４】
0006471773.tif 000005
【図５】
0006471773.tif 000006